【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】
【請求項１】  情報トラックに対して、おおよそ１／２トラックずつ内周側および外周側にずらして配置した第１のアドレスおよび第２のアドレスを有する情報担体に対し光学的な記録および／または再生を行うために、前記情報担体に向けて光ビームを収束して照射する収束手段と、前記情報担体から得られる前記光ビームの反射光を検出する光検出手段と、前記収束手段を情報トラックを横切る方向に移動させる移動手段とを備えた光学ヘッドを制御するトラッキング制御装置であって、
前記光検出手段の出力より前記情報担体に記録されている第１のアドレスおよび第２のアドレスを取得するアドレスリード手段と、
所定の距離間隔で前記収束手段の位置を前記移動手段により移動させるためのオフセット設定値を逐次生成し、前記収束手段が移動したそれぞれの位置において、前記光検出手段の出力より前記情報担体に記録されている前記第１のアドレスおよび前記第２のアドレスの両方を取得した取得回数をカウントするレンズ位置特性測定手段と、
前記取得回数の最大値を探索し、前記取得回数が最大値となるときのオフセット設定値に基づいて、前記移動手段により前記収束手段を移動させるレンズシフト調整手段と、
を備えるトラッキング制御装置。
【請求項２】  情報トラックに対して、おおよそ１／２トラックずつ内周側および外周側にずらして配置した第１のアドレスおよび第２のアドレスを有する情報担体に対し光学的な記録および／または再生を行うために、前記情報担体に向けて光ビームを収束して照射する収束手段と、前記情報担体から得られる前記光ビームの反射光を分割して検出する光検出手段と、前記収束手段を情報トラックを横切る方向に移動させる移動手段とを備えた光学ヘッドを制御するトラッキング制御装置であって、
前記光検出手段が分割し検出した各検出信号の差信号を生成する差信号生成手段と、
前記差信号生成手段の出力を所定の第１のレベルと比較しゲートを生成する第１のゲート生成手段と、
前記差信号生成手段の出力を所定の第２のレベルと比較しゲートを生成する第２のゲート生成手段と、
所定の距離間隔で前記収束手段の位置を前記移動手段により移動させるためのオフセット設定値を逐次生成し、前記収束手段が移動したそれぞれ位置において、前記第１のゲート生成手段が生成するゲートの数および前記第２のゲート生成手段が生成するゲートの数に基づく計測数を求めるレンズ位置特性測定手段と、
前記収束手段の前記光検出手段に対する位置ずれが最小なるときの前記計測数を探索し、探索した計測数に対応するオフセット設定値に基づいて、前記移動手段により前記収束手段を移動させるレンズシフト調整手段と、
を備えるトラッキング制御装置。
【請求項３】  前記計測数は、前記第１のゲート生成手段が生成するゲートの数および前記第２のゲート生成手段が生成するゲートの数の和であって、前記収束手段の前記光検出手段に対する位置ずれが最小なるときの前記計測数はその最大値である請求項２に記載のトラッキング制御装置。
【請求項４】  前記計測数は、前記第１のゲート生成手段が生成するゲートの数および前記第２のゲート生成手段が生成するゲートの数の差であって、前記収束手段の前記光検出手段に対する位置ずれが最小なるときの前記計測数はゼロまたはゼロに最も近い値である請求項２に記載のトラッキング制御装置。
【請求項５】  情報トラックに対して、おおよそ１／２トラックずつ内周側および外周側にずらして配置した第１のアドレスおよび第２のアドレスを有する情報担体に対し光学的な記録および／または再生を行うために、前記情報担体に向けて光ビームを収束して照射する収束手段と、前記情報担体から得られる前記光ビームの反射光を分割して検出する光検出手段と、前記収束手段を情報トラックを横切る方向に移動させる移動手段とを備えた光学ヘッドを制御するトラッキング制御装置であって、
前記光検出手段が分割し検出した各検出信号の差信号を生成する差信号生成手段と、
前記差信号生成手段の出力の最大を検出するピーク検出手段と、
前記差信号生成手段の出力の最小を検出するボトム検出手段と、
所定の距離間隔で前記収束手段の位置を前記移動手段により移動させるためのオフセット設定値を逐次生成し、前記収束手段が移動したそれぞれ位置において、前記ピーク検出手段の検出値および前記ボトム検出手段の検出値に基づく計算値を求めるレンズ位置特性測定手段と、
前記収束手段の前記光検出手段に対する位置ずれが最小なるときの前記計算値を探索し、探索した計算値に対応するオフセット設定値に基づいて、前記移動手段により前記収束手段を移動させるレンズシフト調整手段と、
を備えるトラッキング制御装置。
【請求項６】  前記ピーク検出手段の検出値および前記ボトム検出手段の検出値をそれぞれＴＥｍａｘおよびＴＥｍｉｎと表したとき、前記計算値は、（ＴＥｍａｘ＋ＴＥｍｉｎ）/（ＴＥｍａｘ−ＴＥｍｉｎ）であり、前記収束手段の前記光検出手段に対する位置ずれが最小なるときの前記計算値はゼロまたはゼロに最も近い値である請求項５に記載のトラッキング制御装置。
【請求項７】  情報トラックに対して、おおよそ１／２トラックずつ内周側および外周側にずらして配置した第１のアドレス部および第２のアドレス部を有する情報担体に対し光学的な記録および／または再生を行うために、前記情報担体に向けて光ビームを収束して照射する収束手段と、前記情報担体から得られる前記光ビームの反射光を分割して検出する光検出手段と、前記収束手段を情報トラックを横切る方向に移動させる移動手段とを備えた光学ヘッドを制御するトラッキング制御装置であって、
前記光検出手段が分割し検出した各検出信号の差信号を生成する差信号生成手段と、
前記差信号生成手段の出力より、前記第１のアドレス部の振幅を検出する第１のアドレス振幅検出手段と、
前記差信号生成手段の出力より、前記第２のアドレス部の振幅を検出する第２のアドレス振幅検出手段と、
所定の距離間隔で前記収束手段の位置を前記移動手段により移動させるためのオフセット設定値を逐次生成し、前記収束手段が移動したそれぞれの位置において、前記第１のアドレス振幅検出手段の出力と前記第２のアドレス振幅検出手段の出力との出力差を求めるレンズ位置特性測定手段と、
前記出力差がゼロまたはゼロに最も近い値を探索し、前記出力差がゼロまたはゼロに最も近い値最大値となるときのオフセット設定値に基づいて、前記移動手段により前記収束手段を移動させるレンズシフト調整手段と、
を備えるトラッキング制御装置。
【請求項８】  光ビームを照射したときの反射特性が異なる第１および第２の領域を有する情報担体に対し光学的な記録および／または再生を行うために、前記情報担体に向けて光ビームを収束して照射する収束手段と、前記情報担体から得られる前記光ビームの反射光を分割して検出する光検出手段と、前記収束手段を情報トラックを横切る方向に移動させる移動手段とを備えた光学ヘッドを制御するトラッキング制御装置であって、
前記光検出手段が分割し検出した各検出信号の差信号を生成する差信号生成手段と、
前記差信号の所定の期間における平均値を測定するオフセット測定手段と、
所定の距離間隔で前記収束手段の位置を前記移動手段により移動させるためのオフセット設定値を逐次生成し、前記収束手段が移動したそれぞれの位置における前記平均値を前記情報担体の第１の領域および第２の領域について求めるレンズ位置特性測定手段と、
前記情報担体の第１の領域において得られた前記オフセット設定値と前記平均値との関係および第２の領域において得られた前記オフセット設定値と前記平均値との関係から前記収束手段の前記光検出手段に対する位置ずれが最小なるときの前記平均値を探索し、探索した平均値に対応するオフセット設定値に基づいて、前記移動手段により前記収束手段を移動させるレンズシフト調整手段と、
を備えるトラッキング制御装置。
【請求項９】  前記情報担体は、凸部および凹部によって形成される情報トラックを含み、前記レンズ位置特性測定手段は、前記情報トラックの凸部および凹部のそれぞれに対して測定を行い、測定結果に基づいて前記レンズシフト調整手段が前記凸部および凹部に対してそれぞれ前記収束手段を移動させる請求項１から８のいずれかに記載のトラッキング制御装置。
【請求項１０】  前記レンズ位置特性測定手段は、前記情報担体の回転位相に応じて前記取得回数、前記計測数、前記計算値、前記出力差または前記平均値を求める請求項１から８のいずれかに記載のトラッキング制御装置。
【請求項１１】  前記レンズシフト調整手段は、前記情報担体の回転位相に応じて前記オフセット設定値を決定する、請求項１から８のいずれかに記載のトラッキング制御装置。
【請求項１２】  前記第１のゲート生成手段および前記第２のゲート生成手段は、前記第１のレベルおよび第２のレベルと異なるレベルを用いてアドレスを検出する請求項２から３のいずれかに記載のトラッキング制御装置。
【請求項１３】  前記第１のアドレス振幅検出手段および前記第２のアドレス振幅検出手段は、前記情報担体の第１のアドレス部および第２のアドレス部において振幅がおおよそ一定となる所定の部位で振幅の検出を行う請求項７に記載のトラッキング制御装置。
【請求項１４】  情報トラックに対して、おおよそ１／２トラックずつ内周側および外周側にずらして配置した第１のアドレスおよび第２のアドレスを有する情報担体に対し光学的な記録および／または再生を行うために、前記情報担体に向けて光ビームを収束して照射する収束手段と、前記情報担体から得られる前記光ビームの反射光を検出する光検出手段と、前記収束手段を情報トラックを横切る方向に移動させる移動手段とを備えた光学ヘッドを制御するトラッキング制御方法であって、
所定の距離間隔で前記収束手段の位置を前記移動手段により移動させるためのオフセット設定値を逐次生成し、前記収束手段が移動したそれぞれの位置において、前記光検出手段の出力より前記情報担体に記録されている前記第１のアドレスおよび前記第２のアドレスの両方を取得した取得回数をカウントするステップと、
前記取得回数の最大値を探索し、前記取得回数が最大値となるときのオフセット設定値に基づいて、前記移動手段により前記収束手段を移動させるステップと、
を包含するトラッキング制御方法。
【請求項１５】  情報トラックに対して、おおよそ１／２トラックずつ内周側および外周側にずらして配置した第１のアドレスおよび第２のアドレスを有する情報担体に対し光学的な記録および／または再生を行うために、前記情報担体に向けて光ビームを収束して照射する収束手段と、前記情報担体から得られる前記光ビームの反射光を分割して検出する光検出手段と、前記収束手段を情報トラックを横切る方向に移動させる移動手段とを備えた光学ヘッドを制御するトラッキング制御方法であって、
前記光検出手段が分割して検出した各検出信号の差信号を生成するステップと、
前記差信号と第１および第２のレベルと比較し、前記第１および第２のレベルより前記差信号が大きいとき、第１および第２のゲートを生成するステップと、
所定の距離間隔で前記収束手段の位置を前記移動手段により移動させるためのオフセット設定値を逐次生成し、前記収束手段が移動したそれぞれ位置において、生成した前記第１および第２のゲートの数に基づく計測数を求めるステップと、
前記収束手段の前記光検出手段に対する位置ずれが最小なるときの前記計測数を探索し、探索した計測数に対応するオフセット設定値に基づいて、前記移動手段により前記収束手段を移動させるステップと、
を包含するトラッキング制御方法。
【請求項１６】  前記計測数は、前記第１および第２のゲートの数の和であって、前記移動ステップにおける前記収束手段の前記光検出手段に対する位置ずれが最小なるときの計測数はその最大値である請求項１５に記載のトラッキング制御方法。
【請求項１７】  前記計測数は、前記第１および第２のゲートの数の差であって、前記収束手段の前記光検出手段に対する位置ずれが最小なるときの前記計測数はゼロまたはゼロに最も近い値である請求項１５に記載のトラッキング制御方法。
【請求項１８】  情報トラックに対して、おおよそ１／２トラックずつ内周側および外周側にずらして配置した第１のアドレスおよび第２のアドレスを有する情報担体に対し光学的な記録および／または再生を行うために、前記情報担体に向けて光ビームを収束して照射する収束手段と、前記情報担体から得られる前記光ビームの反射光を分割して検出する光検出手段と、前記収束手段を情報トラックを横切る方向に移動させる移動手段とを備えた光学ヘッドを制御するトラッキング制御方法であって、
前記光検出手段が分割して検出した各検出信号の差信号を生成するステップと、
前記差信号の最大値および最小値を検出するステップと、
所定の距離間隔で前記収束手段の位置を前記移動手段により移動させるためのオフセット設定値を逐次生成し、前記収束手段が移動したそれぞれ位置において、前記最大値および最小値に基づく計算値を求めるステップと、
前記収束手段の前記光検出手段に対する位置ずれが最小なるときの前記計算値を探索し、探索した計算値に対応するオフセット設定値に基づいて、前記移動手段により前記収束手段を移動させるステップと、
を包含するトラッキング制御方法。
【請求項１９】  前記最大値および最小値をそれぞれＴＥｍａｘおよびＴＥｍｉｎと表したとき、前記計算値は、（ＴＥｍａｘ＋ＴＥｍｉｎ）/（ＴＥｍａｘ−ＴＥｍｉｎ）であり、前記収束手段の前記光検出手段に対する位置ずれが最小なるときの前記計算値はゼロまたはゼロに最も近い値である請求項１８に記載のトラッキング制御方法。
【請求項２０】  情報トラックに対して、おおよそ１／２トラックずつ内周側および外周側にずらして配置した第１のアドレス部および第２のアドレス部を有する情報担体に対し光学的な記録および／または再生を行うために、前記情報担体に向けて光ビームを収束して照射する収束手段と、前記情報担体から得られる前記光ビームの反射光を分割して検出する光検出手段と、前記収束手段を情報トラックを横切る方向に移動させる移動手段とを備えた光学ヘッドを制御するトラッキング制御方法であって、
前記光検出手段が分割して検出した各検出信号の差信号を生成するステップと、
前記差信号の前記第１のアドレス部および第２のアドレス部における振幅を検出するステップと、
所定の距離間隔で前記収束手段の位置を前記移動手段により移動させるためのオフセット設定値を逐次生成し、前記収束手段が移動したそれぞれの位置において、前記差信号の第１のアドレス部における振幅と、第２のアドレス部における振幅との振幅差を求めるステップと、
前記振幅差がゼロまたはゼロに最も近い値を探索し、前記振幅差がゼロまたはゼロに最も近い値となるときのオフセット設定値に基づいて、前記移動手段により前記収束手段を移動させるステップと、
を包含するトラッキング制御方法。
【請求項２１】  光ビームを照射したときの反射特性が異なる第１および第２の領域を有する情報担体に対し光学的な記録および／または再生を行うために、前記情報担体に向けて光ビームを収束して照射する収束手段と、前記情報担体から得られる前記光ビームの反射光を分割して検出する光検出手段と、前記収束手段を情報トラックを横切る方向に移動させる移動手段とを備えた光学ヘッドを制御するトラッキング制御方法であって、
前記光検出手段が分割して検出した各検出信号の差信号を生成するステップと、
前記差信号の所定の期間における平均値を測定するステップと、
所定の距離間隔で前記収束手段の位置を前記移動手段により移動させるためのオフセット設定値を逐次生成し、前記収束手段が移動したそれぞれの位置における前記平均値を前記情報担体の第１の領域および第２の領域について求めるステップと、
前記情報担体の第１の領域において得られた前記オフセット設定値と前記平均値との関係、および、前記第２の領域において得られた前記オフセット設定値と前記平均値との関係から、前記収束手段の前記光検出手段に対する位置ずれが最小なるときの前記平均値を探索し、探索した平均値に対応するオフセット設定値に基づいて、前記移動手段により前記収束手段を移動させるステップと、
を包含するトラッキング制御方法。